【事件の表示】
　特許第３０３２７２１号「表示装置」の請求項１に係る特許に対する特許異議の申立てについて、次のとおり決定する。
【結　論】
　訂正を認める。
　特許第３０３２７２１号の請求項１に係る特許を取り消す。
【理　由】
１．手続の経緯
　特許第３０３２７２１号の請求項１に係る特許は、平成元年７月１１日に出願された特願平１−１８００５４号の一部を平成８年１２月１６日に新たな特許出願としたものであって、平成１２年２月１０日に設定登録され、その後、異議申立人　セイコーエプソン株式会社より特許異議の申立てがなされ、取消理由通知がなされ、その指定期間内である平成１３年４月１０日に訂正請求がなされたものである。
　
２．訂正の適否について
ア．訂正の内容
　特許権者が求める訂正の内容は以下のとおりである。　
ａ１．特許請求の範囲の請求項１を、特許請求の範囲の減縮を目的として、
「行列状に配置された複数の表示絵素と、該表示絵素に接続されたスイッチング素子と、水平走査方向に沿う行方向の複数の表示絵素を順次選択する複数の行電極と、列方向に沿う複数の表示絵素に信号を印加する複数の列電極とが設けられた表示装置において、各列電極に表示データを出力する列電極駆動手段と、１水平走査期間に設定され１垂直期間に複数発生され、前記表示装置の表示絵素を行電極によって選択しない休止期間Ｗ１をもつクロック信号を生成するクロック信号生成回路と、前記クロック信号の休止期間Ｗ１の期間に、行電極に対する順次的なシフト動作を停止させるとともに、前記行電極に前記スイッチング素子を非選択状態とする信号を出力し、スイッチング素子の選択期間を、その行以外のスイッチング素子と同一とする行電極駆動手段とを備えてなり、前記クロック信号生成回路は、時間的に早いフィールドから間引き処理を行い、かつ、該フィールドの間引き位置がもう一方のフィールドの間引き位置よりも垂直走査方向上流側となるように休止期間Ｗ１が設けられ、さらに、各フィールド毎に間引き位置を切換え、かつ、１フレームにおいて間引かれる走査線の位置が隣接しないように駆動することを特徴とする表示装置。」と訂正する。
ａ２．これに伴い、特許請求の範囲の記載と、発明の詳細な説明の記載との整合を図るため、明りょうでない記載の釈明を目的として、明細書の発明の詳細な説明の欄の「課題を解決するための手段」の項の記載を、
「本発明は、行列状に配置された複数の表示絵素と、該表示絵素に接続されたスイッチング素子と、水平走査方向に沿う行方向の複数の表示絵素を順次選択する複数の行電極と、列方向に沿う複数の表示絵素に信号を印加する複数の列電極とが設けられた表示装置において、各列電極に表示データを出力する列電極駆動手段と、１水平走査期間に設定され１垂直期間に複数発生され、前記表示装置の表示絵素を行電極によって選択しない休止期間Ｗ１をもつクロック信号を生成するクロック信号生成回路と、前記クロック信号の休止期間Ｗ１の期間に、行電極に対する順次的なシフト動作を停止させるとともに、前記行電極に前記スイッチング素子を非選択状態とする信号を出力し、スイッチング素子の選択期間を、その行以外のスイッチング素子と同一とする行電極駆動手段とを備えてなり、前記クロック信号生成回路は、時間的に早いフィールドから間引き処理を行い、かつ、該フィールドの間引き位置がもう一方のフィールドの間引き位置よりも垂直走査方向上流側となるように休止期間Ｗ１が設けられ、さらに、各フィールド毎に間引き位置を切換え、かつ、１フレームにおいて間引かれる走査線の位置が隣接しないように駆動することを特徴とする表示装置である。」と訂正する。
ｂ．また、誤記の訂正を目的として、明細書の発明の詳細な説明の欄の一部、及び同図面の簡単な説明の欄の一部を、それぞれ、以下のように訂正する。
　発明の詳細な説明の欄の段落００１４の第１行目の「出力時機」を「出力時期」と訂正する。
　また、図面の簡単な説明の欄の符号の説明の項の第６行目の「２８　　　列電極駆動回路」を「２ ８　　　行電極駆動回路」と訂正する。
　
イ．訂正の目的の適否、新規事項の有無及び拡張・変更の存否
　上記訂正事項ａｌは、特許明細書の特許請求の範囲の請求項１中に記載された「前記クロック信号の休止期間ＷＩの期間に、行電極に対する順次的なシフト動作を停止させるとともに、前記行電極に前記スイッチング素子を非選択状態とする信号を出力する行電極駆動手段とを備えてなり、」を、より下位の概念である「前記クロック信号の休止期間ＷＩの期間に、行電極に対する順次的なシフト動作を停止させるとともに、前記行電極に前記スイッチング素子を非選択状態とする信号を出力し、スイッチング素子の選択期間を、その行以外のスイッチング素子と同一とする行電極駆動手段とを備えてなり、」に限定しようとするものであり、特許明細書の発明の詳細な説明の欄の段落００５０の部分に、その記載があるものである。
　上記訂正事項ａ２の訂正は、特許請求の範囲の欄の記載と、課題を解決するための手段の項の記載との整合をとるためのものであるので、明りようでない記載の釈明に相当するものである。
更に、上記訂正事項ｂは、正しい表記に訂正するものであり、誤記の訂正に相当するものである。
　またいずれの訂正も、新規事項の追加には該当せず、実質的に特許請求の範囲を拡張又は変更するものではない。
　
ウ．むすび
　したがって、上記訂正は、特許法第１２０条の４第２項及び同条３項で準用する第１２６条第２項及び第３項の規定に適合するので、当該訂正を認める。
　
３．特許異議の申し立てについての判断
ア．本件発明
　上記のとおり、訂正請求は適法と認められるから、本件請求項１に係る発明は、上記訂正請求書の特許請求の範囲の請求項１に記載された次のとおりの事項により特定されるものである。
「【請求項１】
Ａ．　行列状に配置された複数の表示絵素と、該表示絵素に接続されたスイッチング素子と、水平走査方向に沿う行方向の複数の表示絵素を順次選択する複数の行電極と、列方向に沿う複数の表示絵素に信号を印加する複数の列電極とが設けられた表示装置において、
Ｂ．　各列電極に表示データを出力する列電極駆動手段と、
Ｃ．　１水平走査期間に設定され１垂直期間に複数発生され、前記表示装置の表示絵素を行電極によって選択しない休止期間Ｗ１をもつクロック信号を生成するクロック信号生成回路と、
Ｄ．　前記クロック信号の休止期間Ｗ１の期間に、行電極に対する順次的なシフト動作を停止させるとともに、前記行電極に前記スイッチング素子を非選択状態とする信号を出力し、スイッチング素子の選択期間を、その行以外のスイッチング素子と同一とする行電極駆動手段とを備えてなり、
Ｅ．　前記クロック信号生成回路は、時間的に早いフィールドから間引き処理を行い、
Ｆ．かつ、該フィールドの間引き位置がもう一方のフィールドの間引き位置よりも垂直走査方向上流側となるように休止期間Ｗ１が設けられ、
Ｇ．　さらに、各フィールド毎に間引き位置を切換え、
Ｈ．かつ、１フレームにおいて間引かれる走査線の位置が隣接しないように駆動することを特徴とする表示装置。」
にあるものと認める。
　なお、Ａ〜Ｈの記載は、当審において便宜上付与した。
　
イ．先願に記載された発明
　当審が平成１３年１月２９日付で通知した取消しの理由において提示した先願１（異議申立人　セイコーエプソン株式会社　提出の甲第１号証）には次のとおり記載されている。
先願１：特願昭６３−１１５２２６号（特開平１−２８４１８５号公報　参照）
　本件出願の日前の他の出願であって、その出願後に出願公開された上記先願１の願書に最初に添付した明細書又は図面には、
「液晶表示体でテレビ映像を映し出す場合に、表示体の大きさにもよるが、通常のアクティブマトリクス型のものでは、横の走査線の数は２２０〜２４０本である」（先願１の公報第１頁右下欄第８〜１１行）
「　これでは画面のずれがピッチが荒くなって画質の劣化を招くため、次の様な方式を採用する。５本に１本，７本に１本の間引きを走査電極に行う。第２図にこの方法の説明図を示す。左側にパル・セカム方式での正常な走査法、右側にＮＴＳＣへの対応した走査法を表す。番号は便宜的な走査線の順番であり、実線は走査電極の区分、破線はフィールド毎の区分である。すなわち１番と２番は同一走査電極に書込まれる。３番走査は間引かれ、４番と５番が同一走査電極に書込まれる。６番と７番は同一走査電極に書込まれ、８番は間引かれる。」（先願１の公報第２頁左下欄第１０〜１８行）
「以下、間引かれるのは１５番、２０番、２７番、３２番・・・となる。図からわかるように間引く位置が自然であり、かつ間引かれた後の走査の組み合わせも、同一走査電極に偶数走査と奇数走査が対に対応している。偶奇のフィールド毎の間引くタイミングは、ずらして制御することになる。」（先願１の公報第２頁左下欄第１８行〜同頁右下欄第４行）
「第１図に本発明の制御回路の一部を示す。この回路は、走査電極駆動信号としての選択タイミングを定めるクロック信号ＹＣＬＫと、選択の間引きを定めるインヒビット信号ＹＩＮＨとを形成するものである。」（先願１の公報第２頁右下欄第６〜１０行）
「従来例に信号ＹＣＬＫをクロック信号として、信号ＶＳＹＮＣを出力信号として入力した場合、間引くタイミングでクロックが休止するために該当するＱＹｊ’で選択時間が２倍となるので、回路構成としては不適当である。ところが実施例では、各選択出力は信号ＹＩＮＨの反転信号とアンドゲートを通してあるため、間引くタイミングでの選択時間が非選択に変化し、選択出力ＱＹｊは適正な波形となる。」（先願１の公報第３頁左上欄第１７行〜同頁右上欄第５行）
と記載されると共に、第１図に制御回路の一部を示す回路図、第２図に説明図が示されている。
　
ウ．対比・判断
ａ．本件発明１の構成要件Ａ，Ｂについて
　上記先願１の公報の第１頁右欄第８〜１１行には「液晶表示体でテレビ映像を映し出す場合に、表示体の大きさにもよるが、通常のアクティブマトリクス型のものでは、横の走査線の数は２２０〜２４０本である」と記載されている。
　つまり、上記先願１にはアクティブマトリクス型の液晶表示体を用いることを前提としていることが記載されている。
　そして、アクティブマトリクス型の液晶表示体とは一般に、「行列状に配置された複数の表示絵素と、該表示絵素に接続されたスイッチング素子と、水平走査方向に沿う行方向の複数の表示絵素を順次選択する複数の行電極と、列方向に沿う複数の表示絵素に信号を印加する複数の列電極とが設けられた表示装置」であり、「各列電極に表示データを出力する列電極駆動手段」を必ず有するものである。
　従って、上記先願１に、アクティブマトリクス型の液晶表示体を用いることが前提して記載されている以上、上記先願１の液晶表示体は、本件発明１の構成要件Ａの「行列状に配置された複数の表示絵素と、該表示絵素に接続されたスイッチング素子と、水平走査方向に沿う行方向の複数の表示絵素を順次選択する複数の行電極と、列方向に沿う複数の表示絵素に信号を印加する複数の列電極とが設けられた表示装置」及び本件発明１の構成要件Ｂの「各列電極に表示データを出力する列電極駆動手段」を有していることは明らかである。
　
ｂ．本件発明１の構成要件Ｃについて
　上記先願１の公報の第２頁右下欄第６〜１０行には「第１図に本発明の制御回路の一部を示す。この回路は、走査電極駆動信号としての選択タイミングを定めるクロック信号ＹＣＬＫと、選択の間引きを定めるインヒビット信号ＹＩＮＨとを形成するものである。」と記載されている。
　つまり、クロック信号ＹＣＬＫは、走査電極駆動信号としての選択タイミングを定めるクロック信号なので、これは「１水平走査期間に設定され１垂直期間に複数発生されるクロック信号」にほかならない。
　また、インヒビット信号ＹＩＮＨは、選択の間引きを定めるので、この信号に基づくタイミングで、「表示装置の表示絵素を行電極によって選択しない休止期間Ｗ１を持つクロック信号」を生成している。
従って、上記先願１には、本件発明１の構成要件Ｃが記載されている。
　
ｃ．本件発明１の構成要件Ｄについて
　特許権者は平成１３年４月１０日付特許異議意見書において、「先願明細書等には、『スイッチング素子の選択期間を、その行以外のスイッチング素子の選択期間と同一とする』との構成についての開示は全く無い」旨主張すると共に、「先願明細書等に示される駆動回路においては、セレクト回路１５の出力である信号ＹＩＮＨにより、水平同期信号ＨＳＹＮＣをマスクして、走査電極駆動信号としての選択タイミングを定めるクロック信号ＹＣＬＫ（シフトクロック）を作成する構成としています。したがって、間引き処理を確実に行わせ、ヒゲ状パルス等の発生を防止するために、水平同期信号ＨＳＹＮＣを遅延回路１６で遅延させて、信号ＹＩＮＨのパルス幅内に確実に水平同期信号ＨＳＹＮＣ（遅延信号）が納まるようにしています。
　このため、添付タイミングチャートに示します通り、間引き時の選択出力ＱＹｊの選択期間が短くなると共に、本来、選択出力が出てはいけない期間において、短パルスが出力されてしまう可能性があります。」と述べている。
　しかしながら、上記先願１の公報の第３頁左上欄第１７行〜同頁右上欄第５行の「従来例に信号ＹＣＬＫをクロック信号として、信号ＶＳＹＮＣを出力信号として入力した場合、間引くタイミングでクロックが休止するために該当するＱＹｊ’で選択時間が２倍となるので、回路構成としては不適当である。ところが実施例では、各選択出力は信号ＹＩＮＨの反転信号とアンドゲートを通してあるため、間引くタイミングでの選択時間が非選択に変化し、選択出力ＱＹｊは適切な波形となる。」なる記載より、クロックが休止してシフトレジスタのシフト動作が停止している間は、選択時間を非選択にすることは記載されており、また、理想的には、「各選択出力は信号ＹＩＮＨの反転信号とアンドゲートを通してあるため、間引くタイミングでの選択時間が非選択に変化」するのであるから、「スイッチング素子の選択期間を、その行以外のスイッチング素子の選択期間と同一とする」ことになる。
　そして、この構成により「選択時間が２倍となる」ことを防ぎ「適切な波形」とするのであるから、特許権者主張の上記のような波形の不具合が生じることの無いように、可能な限り理想的な動作状況とすることは、当業者が通常行う設計事項である。
従って、上記先願１には、本件発明１の構成要件Ｄが記載されている。
　
ｄ．本件発明１の構成要件Ｅ、Ｆについて
　特許権者は上記特許異議意見書において、「先願明細書等には、かかる本件特許発明の技術思想（解決課題、課題解決手段、及び効果）の開示は、全く無いものであります。」と主張すると共に、「先願明細書等には、『時間的に早いフィールドから間引き処理を行い、且つ、時間的に早いフィールドの間引き位置が、もう一方のフィールドの間引き位置よりも垂直走査方向上流側となるように休止期間Ｗ１を設ける』との構成を明示的に開示する記載は全く無いものと思料致します。
　確かに、先願図面の第２図には、一見、本件特許発明と同様の間引き処理が示されているかのように思われます。しかしながら、先願明細書等に記載される内容は、３番→８番→１５番→と、間引き処理を行うというだけのものであり、第２図では、垂直方向の表示開始位置が１番となっていますが、表示開始位置が２番となる場合もあり，２番が開始位置の場合に、同様の間引き処理を実行すれば、隣接しない走査線が同一行電極に割り当てられることになり、画質の劣化が生じます。」と主張している。
　しかしながら、上記先願１には、第２図に走査線を３番、８番、１５番、２０番と間引くことが示されると共に、上記先願１の公報第２頁左下欄第７〜１８行に「　これでは画面のずれがピッチが荒くなって画質の劣化を招くため、次の様な方式を採用する。５本に１本，７本に１本の間引きを走査電極に行う。第２図にこの方法の説明図を示す。左側にパル・セカム方式での正常な走査法、右側にＮＴＳＣへの対応した走査法を表す。番号は便宜的な走査線の順番であり、実線は走査電極の区分、破線はフィールド毎の区分である。すなわち１番と２番は同一走査電極に書込まれる。３番走査は間引かれ、４番と５番が同一走査電極に書込まれる。６番と７番は同一走査電極に書込まれ、８番は間引かれる。」と記載されていることから明らかなように、時間的に早い第１フィールドに属する３番走査から間引き処理が行われていると共に、第１フィールドの間引き位置の３番走査は、第２フィールドに属する８番走査よりも、垂直走査方向上流側となるよう、休止期間が設けられていることが記載されている。
　従って、第２図に示された走査線の間引きは、「時間的に早いフィールドから間引き処理を行い、且つ、時間的に早いフィールドの間引き位置が、もう一方のフィールドの間引き位置よりも垂直走査方向上流側となるように」間引いたものとなっており、本件発明１の「時間的に早いフィールドから間引き処理を行い、且つ、時間的に早いフィールドの間引き位置が、もう一方のフィールドの間引き位置よりも垂直走査方向上流側となるように休止期間Ｗ１を設ける」構成が、上記先願１に示された走査線の間引き以外の間引きを含むものであるとしても、上記先願１に示された走査線の間引きは、本件発明１の「時間的に早いフィールドから間引き処理を行い、且つ、時間的に早いフィールドの間引き位置が、もう一方のフィールドの間引き位置よりも垂直走査方向上流側となるように休止期間Ｗ１を設ける」構成による間引きに含まれるものであるから、上記先願１には本件発明１の構成要件Ｅ、Ｆが記載されている。
　
ｅ．本件発明１の構成要件Ｇ、Ｈについて
　上記先願１の公報の第２頁左下欄第１８行〜同頁右下欄第４行には「以下、間引かれるのは１５番、２０番、２７番、３２番・・・となる。図からわかるように間引く位置が自然であり、かつ間引かれた後の走査の組み合わせも、同一走査電極に偶数走査と奇数走査が対に対応している。偶奇のフィールド毎の間引くタイミングは、ずらして制御することになる。」と記載されている。
　つまり、「偶奇のフィールド毎の間引くタイミングは、ずらして制御することになる。」と記載されているように、各フィールド毎に間引き位置を切替えている。
　また、間引きを行うのは「３番、１５番、２０番、２７番、３２番…」であるので、１フレームにおいて間引かれる走査線の位置が隣接しないように駆動している。
従って、上記先願１には、本件発明１の構成要件Ｇ、Ｈが記載されている。
　
　上記説明したように、上記先願１明細書には本件発明１の構成要件Ａ乃至Ｈが記載されている。
　従って、本件発明１は上記先願１明細書記載の発明と同一である。
　そして、先願１の発明者が本件請求項１に係る発明の発明者と同一であるとも、本件出願時において本件出願人と先願１の出願人が同一であるとも認められない。
　
　よって、本件請求項１に係る発明は、特許法第２９条の２の規定に違反しているものでる。
　
エ．むすび
　以上のとおりであるから、特許異議の申立ての理由および、証拠によって、本件請求項１の特許を取り消す。　
　よって結論のとおり決定する。　
【異議決定日】
平成１３年５月２４日（２００１．５．２４）
【訂正の要旨】
訂正の要旨
訂正個所
ａ１．特許請求の範囲の請求項１を、特許請求の範囲の減縮を目的として、
「行列状に配置された複数の表示絵素と、該表示絵素に接続されたスイッチング素子と、水平走査方向に沿う行方向の複数の表示絵素を順次選択する複数の行電極と、列方向に沿う複数の表示絵素に信号を印加する複数の列電極とが設けられた表示装置において、各列電極に表示データを出力する列電極駆動手段と、１水平走査期間に設定され１垂直期間に複数発生され、前記表示装置の表示絵素を行電極によって選択しない休止期間Ｗ１をもつクロック信号を生成するクロック信号生成回路と、前記クロック信号の休止期間Ｗ１の期間に、行電極に対する順次的なシフト動作を停止させるとともに、前記行電極に前記スイッチング素子を非選択状態とする信号を出力し、スイッチング素子の選択期間を、その行以外のスイッチング素子と同一とする行電極駆動手段とを備えてなり、前記クロック信号生成回路は、時間的に早いフィールドから間引き処理を行い、かつ、該フィールドの間引き位置がもう一方のフィールドの間引き位置よりも垂直走査方向上流側となるように休止期間Ｗ１が設けられ、さらに、各フィールド毎に間引き位置を切換え、かつ、１フレームにおいて間引かれる走査線の位置が隣接しないように駆動することを特徴とする表示装置。」と訂正する。
ａ２．これに伴い、特許請求の範囲の記載と、発明の詳細な説明の記載との整合を図るため、明りょうでない記載の釈明を目的として、明細書の発明の詳細な説明の欄の「課題を解決するための手段」の項の記載を、
「本発明は、行列状に配置された複数の表示絵素と、該表示絵素に接続されたスイッチング素子と、水平走査方向に沿う行方向の複数の表示絵素を順次選択する複数の行電極と、列方向に沿う複数の表示絵素に信号を印加する複数の列電極とが設けられた表示装置において、各列電極に表示データを出力する列電極駆動手段と、１水平走査期間に設定され１垂直期間に複数発生され、前記表示装置の表示絵素を行電極によって選択しない休止期間Ｗ１をもつクロック信号を生成するクロック信号生成回路と、前記クロック信号の休止期間Ｗ１の期間に、行電極に対する順次的なシフト動作を停止させるとともに、前記行電極に前記スイッチング素子を非選択状態とする信号を出力し、スイッチング素子の選択期間を、その行以外のスイッチング素子と同一とする行電極駆動手段とを備えてなり、前記クロック信号生成回路は、時間的に早いフィールドから間引き処理を行い、かつ、該フィールドの間引き位置がもう一方のフィールドの間引き位置よりも垂直走査方向上流側となるように休止期間Ｗ１が設けられ、さらに、各フィールド毎に間引き位置を切換え、かつ、１フレームにおいて間引かれる走査線の位置が隣接しないように駆動することを特徴とする表示装置である。」と訂正する。
ｂ．また、誤記の訂正を目的として、明細書の発明の詳細な説明の欄の一部、及び同図面の簡単な説明の欄の一部を、それぞれ、以下のように訂正する。
　発明の詳細な説明の欄の段落００１４の第１行目の「出力時機」を「出力時期」と訂正する。
　また、図面の簡単な説明の欄の符号の説明の項の第６行目の「２８　　　列電極駆動回路」を「２８　　　行電極駆動回路」と訂正する。
（５４）【発明の名称】
表示装置
（５７）【特許請求の範囲】
　【請求項１】　行列状に配置された複数の表示絵素と、該表示絵素に接続されたスイッチング素子と、水平走査方向に沿う行方向の複数の表示絵素を順次選択する複数の行電極と、列方向に沿う複数の表示絵素に信号を印加する複数の列電極とが設けられた表示装置において、
　各列電極に表示データを出力する列電極駆動手段と、
　１水平走査期間に設定され１垂直期間に複数発生され、前記表示装置の表示絵素を行電極によって選択しない休止期間Ｗ１をもつクロック信号を生成するクロック信号生成回路と、
　前記クロック信号の休止期間Ｗ１の期間に、行電極に対する順次的なシフト動作を停止させるとともに、前記行電極に前記スイッチング素子を非選択状態とする信号を出力
し、スイッチング素子の選択期間を、その行以外のスイッチング素子と同一と
　前記クロック信号生成回路は、時間的に早いフィールドから間引き処理を行い、かつ、該フィールドの間引き位置がもう一方のフィールドの間引き位置よりも垂直走査方向上流側となるように休止期間Ｗ１が設けられ、
　さらに、各フィールド毎に間引き位置を切換え、かつ、１フレームにおいて間引かれる走査線の位置が隣接しないように駆動することを特徴とする表示装置。
【発明の詳細な説明】
　【０００１】
　【産業上の利用分野】
　本発明は、たとえば液晶表示装置などの表示装置に関し、きらに詳しくは行列状に配置された表示絵素毎にスイッチング素子を付加してアクティブマトリクス駆動を行う表示装置に開する。
　【０００２】
　本発明はマトリックス型液晶表示装置に関し、特にマトリックス型表示パターンにおける各絵素にアドレス用のスイッチングトランジスタを付加したマトリックス型液晶表示装置の駆動回路部の構造に関するものである。
　【０００３】
　【従来の技術】
　小形軽量の表示装置として液晶表示装置が広く用いられており、とりわけ表示絵素を行列状に配列して各表示絵素にたとえばスイッチングトランジスタをそれぞれ付加したアクティブマトリクス形液晶表示装置は、スイッチングトランジスタのスイッチング効果を用いて表示絵素を順次選択し、表示データに対応した態様の表示電圧を印加し表示を得るものである。このようなアクティブマトリクス形液晶表示装置は、高コントラストでありしかも多段階の階調表示が可能な表示装置としてテレビジョン受信機やビデオテープレコーダのモニタ装置などとして多く用いられている。
　【０００４】
　第１０図にこのような従来例の液晶表示装置１のブロック図を示す。液晶表示装置１は表示絵素２が多数行列状に配列された表示部３を備え、各表示絵素２にはスイッチングトランジスタ４の一方端子がそれぞれ接続される。各スイッチングトランジスタ４の他方端子はそれぞれ列電極５に接続され、スイッチングトランジスタ４のゲートはそれぞれ行電極６−１，６−２，…，６−ｎ（必要な場合は参照符６で総称する）に接続される。各行電極６は走査回路７にそれぞれ接続され、列電極５はデータ信号回路８に接続され、これらの回路７，８は制御回路９によってその動作が制御される。
　【０００５】
　前記走査回路７は行電極６を、順次的にたとえばハイレベルとして当該行電極６に接続された各スイッチングトランジスタ４を導通状態とする。このとき各列電極５は所望の表示に対応する表示電圧が印加される。これにより各表示絵素２は対応する表示を行う。このような表示を各行電極６毎に繰返し、一画面分の表示が終了する。このような処理がたとえば１／６０秒または１／３０秒毎に繰返されて表示が行われる。
　【０００６】
　このような液晶表示装置１をいわゆる液晶テレビジョン受信装置として用いる場合には、前記表示用信号としてたとえばＮＴＳＣ方式の映像信号が用いられる。このような場合、映像信号はアンテナ１０で受信され、たとえば検波回路や増幅回路などを含む受信回路１１にて所望の映像信号を分離し、アナログ／デジタル変換回路（以下、Ａ／Ｄ変換回路と略す）１２でデジタル信号に変換した後、信号処理回路１３で各種の信号処理が行われ、デジタル／アナログ変換回路（以下、Ｄ／Ａ変換回路と略す）１４でアナログ信号に変換され、前記データ信号回路８に供給されるとともに、基準信号Ｓｙが回路８，９に入力され、所定の走査動作を行う。
　【０００７】
　上述したようなマトリクス形の液晶表示装置１において、テレビジョン映像信号に基づいて表示を行おうとする場合、前記行電極６の数がテレビジョン信号の有効走査線数（ＮＴＳＣ方式の場合約４８０本）に近いとき、またはその１／２の数に近いときには、当該テレビジョン信号をその水平走査期間毎に線順次方式で、液晶表示装置１に供給する駆動方式が用いられている。このとき、行電極６の数が前記有効走査線数に近い場合には、フレーム周期毎に表示都３の一画面分の表示が行われ、有効走査線数の１／２に近い場合にはフィールド期間毎に表示部３の一画面毎の表示が行われる。
　【０００８】
　一方、前記行電極６の数が前述した有効走査線数やその１／２の数に対して比較的小さい場合には、前述したような表示を行わせた場合、たとえば映像信号の一垂直走査期間内の水平走査線を、行電極６に垂直走査方向上方側から割当てていくと、全走査線数分の映像信号が入力されないうちに行電極６が割当てられ終わってしまい、表示部３には適正な画面の下方が欠落した表示が行われてしまうことになる。また前記欠落分の映像信号を一垂直走査期間の先頭から除外して、残余の映像信号を表示部３で表示させた場合には適正な映像信号の上部が欠落した表示が行われてしまう。
　【０００９】
　このため行電極６の数が有効走査線数やその１／２の数より比較的小さい場合には、見掛け上適正な全画面を表示するために一垂直走査期間内の映像信号のうち、特定の走査線に対応する映像信号を間引く方法が用いられる。この方法はたとえばＰＡＬ方式（走査線数６２５本）の映像信号をＮＴＳＣ方式（走査線数５２５本）の信号へ変換する場合などでも同様に行われ得る。現在行われているこのような一つまたは複数の走査線に対応する映像信号を間引く信号処理は、処理上の精度などの点で第１０図に示す信号処理回路１３などデジタル回路で行われており、このため前述したようなＡ／Ｄ変換回路１２、信号処理回路１３およびＤ／Ａ変換回路１４などが必須となり、回路構成がきわめて繁雑になってしまうという課題がある。
　【００１０】
　本発明の目的は上述の技術的課題を解消し、簡便な構成にてしかも表示品質の劣化をもたらすことなく、表示上の走査線数を変化することができる表示装置を提供することである。
　【００１１】
　【課題を解決するための手段】
　本発明は、行列状に配置された複数の表示絵素と、該表示絵素に接続されたスイッチング素子と、水平走査方向に沿う行方向の複数の表示絵素を順次選択する複数の行電極と、列方向に沿う複数の表示絵素に信号を印加する複数の列電極とが設けられた表示装置において、各列電極に表示データを出力する列電極駆動手段と、１水平走査期間に設定され１垂直期間に複数発生され、前記表示装置の表示絵素を行電極によって選択しない休止期間Ｗ１をもつクロック信号を生成するクロック信号生成回路と、前記クロック信号の休止期間Ｗ１の期間に、行電極に対する順次的なシフト動作を停止させるとともに、前記行電極に前記スイッチング素子を非選択状態とする信号を出力
し、スイッチング素子の選択期間を、その行以外のスイッチング素子と同一と
　【００１２】
　【作用】
　本発明に従えば、複数の表示絵素が行列状に配置された表示手段に表示を行うに当って、表示手段に設けらいている行電極数が映像信号の一垂直走査期間の走査線数より小さい場合には、停止信号発生手段は予め定める水平走査線数おきに、行電極選択手段の選択動作を予め定める停止期間に亘って停止させる停止信号を、行電極選択手段に出力する。行電極選択手段は、水平走査方向に沿う行方向の表示絵素列を選択する複数の行電極を順次的に指定する。
　【００１３】
　したがって前述した停止期間では、映像信号が表示装置に入力されながら、行電極の選択動作が停止され、この停止期間に亘る映像信号が間引かれる。これにより表示装置の行電極の数が映像信号の走査線数より小さい場合であっても、垂直走査期間の全範囲内の映像を表示することができる。
　【００１４】
　また前記停止信号は映像信号の一フレーム期間内の出力
時期
　【００１５】
　【実施例】
　第１図は本発明の一実施例の表示装置である液晶表示装置２１の構成を示すブロック図であり、第２図は液晶表示装置２１の表示手段である表示部２２の構成を示す系統図である。これらの図面を参照して、液晶表示装置２１について説明する。液晶表示装置２１は第２図に示されるように、表示電極などとして構成される表示絵素２３が行列状に配列された前記表示部２２を備える。各表示絵素２３には、たとえばＴＦＴ（薄膜トランジスタ）素子などとして実現されるスイッチングトランジスタ２４がそれぞれ配置される。
　【００１６】
　スイッチングトランジスタ２４の出力端子は表示絵素２３に接続され、入力端子は垂直走査方向に沿う列方向（第２図上下方向）の表示絵素列毎に設けられる列電極２５に接続される。スイッチングトランジスタ２４のゲートは水平走査方向に沿う行方向の表示絵素列毎に形成される行電極２６にそれぞれ接続される。各列電極２５は列電極駆動手段である列電極駆動回路２７に接続され、行電極２６は行電極選択手段である行電極躯動回路２８に接続される。各駆動回路２７，２８は、たとえばマイクロプロセッサなどを含んで構成される停止信号発生手段である制御回路２９にてその動作状態が制御される。制御回路２９には液晶表示装置２１に供給される映像信号から分離される垂直同期信号および水平同期信号などの基準信号Ｓｙが入力される。
　【００１７】
　前記行電極駆動回路２８は、制御回路２９からのクロック信号ＣＬをクロック入力とし、走査開始信号ＳＰを入力データとし、行電極２６の数のビット数を有するシフトレジスタ３０を備える。シフトレジスタ３０の各ビット毎の出力は対応するＡＮＤ回路３１を経て各行電極２６へ与えられる。ＡＮＤ回路３１の他方入力には、前記クロック信号ＣＬが反転回路３２で反転された信号が与えられ、これらＡＮＤ３１は後述する機能を実現する休止回路３３を構成する。
　【００１８】
　第３図は液晶表示装置２１の表示部２２の基本的表示動作を説明するタイムチャートである。第３図を参照して、表示部２２の表示動作について説明する。なおこの説明では説明の簡略化のため前記列電極２５およぴ行電極２６がそれぞれ５本である場合について説明し、行電極２６には個別に参照符Ｇ１，Ｇ２，…，Ｇ５を付す。各行電極Ｇ１〜Ｇ５に垂直走査方向（第１図上方から下方に向かう方向）に沿って第３図（１）〜（５）のような走査信号Ｇ１〜Ｇ５が時間順次的に印加される。第３図（６）の信号Ｓｉはある列電極２５に印加される信号波形であり、ｖ１〜ｖ５は５本の行電極Ｇ１〜Ｇ５のそれぞれに接続されたスイッチングトランジスタ２４を通して各表示絵素２３に印加される表示電圧の例である。
　【００１９】
　ここで垂直走査方向の最初の行電極Ｇ１に接続された表示絵素２３について着目すると、走査信号Ｇ１により期間Ｔ１の間、スイッチングトランジスタ２４が導通状態となり、その間に前記表示電圧ｖ１が表示絵素２３に印加される。このような表示電圧の印加動作は、前記駆動期間Ｔ１に亘り各列電極２５に関して行われる。また前記駆動期間Ｔ１以外の残余の期間Ｔ２〜Ｔ５では、スイッチングトランジスタ２４は遮断状態となり、前記印加電圧ｖ１は表示絵素２３と対応する液晶材料（図示せず）の液晶容量に保持される。
　【００２０】
　上述したような動作が残余の行電極２６の駆動期間Ｔ２〜Ｔ５において行われた後、垂直走査期間ＴＶ１は終了し、次の垂直走査期間ＴＶ２の駆動期間Ｔ１´で再び１本目の行電極Ｇ１のスイッチングトランジスタ２４が導通状態となる。このとき第３図（６）に示すように、印加電圧を−ｖ１とすれば、表示絵素２３の液晶容量に対応する電荷が保持され、結果としてこの表示絵素２３には第３図（７）に示す振幅ｖ１の交流矩形波である駆動信号Ｖ１ｉが印加されることになる。残余の表示絵素２３についても同様である。
　【００２１】
　このようなスイッチングトランジスタ２４を用いた液晶表示装置２１では、スイッチングトランジスタ２４が導通状態となっている間の表示電圧が常に表示絵素２３に対応する液晶に印加され、スイッチングトランジスタ２４が遮断状態の間もこの電荷が保持されるため、クロストークがなく、かつ高コントラストの表示を実現することができる。
　【００２２】
　本実施例はこのような表示方式の液晶表示装置２１において、行電極２６の数が表示しようとするテレビジョン映像信号の走査線数またはその１／２の数よりも小さい場合であっても、垂直走査期間の全範囲を含む表示を実現しようとするものである。これはたとえば前述したＰＡＬ方式のテレビジョン映像信号を用いて、ＮＴＳＣ方式の行電極数の液晶表示装置２１に表示を行う場合などである。
　【００２３】
　このために本実施例では、行電極駆動回路２８に行電極２６への走査パルスの発生を特定の期間休止するためのＡＮＤ回路３１から成る休止回路３３を設けており、テレビジョン映像信号のうち、間引かれるべき走査線に対応する期間は走査信号の発生を休止して、この期間は受信されているテレビジョン映像信号が表示絵素電極に供給されないようにする。これにより間引き動作を行い、少ない行電極数の表示部２２にて大きな有効表示範囲を得られるようにするものである。
　【００２４】
　またこのための構成は本実施例においては休止回路３３であり、これはシフトレジスタ３０の各ビット毎の出力が入力される複数のＡＮＤ回路３１から構成されており、半導体技術および薄膜技術にてきわめて容易にかつ簡便な構成にて実現が可能であるという前述した従来技術にない特徴を有する。
　【００２５】
　第４図は本実施例の動作を説明するタイムチャートである。第１図および第２図を併せて参照して、本実施例について説明する。以下の説明では行電極２６の数は仕意とし、個別の参照符Ｇ１，Ｇ２，…，Ｇｎを付す。制御回路２９から出力されるクロック信号ＣＬはテレビジョン映像信号の水平同期信号と同期した信号であり、走査開始信号ＳＰは垂直同期信号と同期した信号である。制御回路２９は第４図（１）に示されるようにクロック信号ＣＬについて、たとえば７クロックおきに休止期間Ｗ１だけハイレベル状態を維持する信号を出力する。このクロック信号ＣＬによってシフトレジスタ３０では、第４図（２）の走査開始信号ＳＰが第４図（４）〜（１２）に示されるように順次的にシフトされ、休止回路３３を経て各行電極Ｇ１〜Ｇｎに出力される。このときクロック信号ＣＬには休止期間Ｗ１が設けられており、この期間はシフトレジスタ３０におけるシフト動作が停止されるとともに、各ＡＮＤ回路３１は遮断状態となり、行電極２６に走査信号Ｇ１，Ｇ２，…が出力されないことになる。したがって第４図（３）に示すようにクロック信号ＣＬの休止期間Ｗ１が設定されているタイミングで休止期間となり、この休止期間に対応する映像信号の走査線が間引かれることになる。
　【００２６】
　現在、各国で採用されているテレビジョンシステムは、主に走査線数が５２５本（有効走査線数約４８５本）と６２５本（同約５７６本）のシステムである。ここで走査線数６２５本のシステムの映像信号を、走査線数約５２５本のシステム用の液晶表示装置２１に表示する場合を考えると、有効走査線数の比は、４８５：５７６＝１：１．１９となるが、この比に近い整数の比は、６：７＝１．１７または５：６＝１：１．２０であり、走査線を６本または７本のうちから１本の割合で間引くのが有効である。たとえば、行電極数２４０本の表示装置で７本中１本を間引く駆動を行った場合、２４０＋６×７＝２８０本相当の表示範囲が得られる。
　【００２７】
　第５図はこのような間引き動作の他の例を示す図であり、第６図はこの例を実現するタイムチャートである。本動作例では映像信号の走査線Ｈ１，Ｈ２，…が第６図（１）に示されるように２１本の場合、すなわち走査線Ｈ１，Ｈ２，…，Ｈ２１が一垂直走査期間を構成する場合について説明する。このような映像信号を第５図（２）に示される行電極数が１８本の液晶表示装置２１に表示する場合、前記第１図および第４図を参照して説明したクロック信号ＣＬを第６図（１）に示されるようにたとえば７クロックおきに休止期間Ｗ１を設定するようにする。
　【００２８】
　これによれば、たとえば走査線Ｈ４，Ｈ１１，Ｈ１８が間引かれ、行電極Ｇ１，Ｇ２，…，Ｇ１８に水平走査線Ｈ１，…，Ｈ３，Ｈ５，…，Ｈ１０，Ｈ１２，…，Ｈ１７，Ｈ１９，…，Ｈ２１がそれぞれ割当てられる。これにより全垂直走査期間の範囲を含む映像が表示され得ることになる。
　【００２９】
　本実施例は第１図示のような構成を用いて、上述したような間引き動作を行うものであり、これにより前述したように間引き処理などを行う構成の簡略化を図ることができる。一方、第１図示の構成のみでは後述するように、一フレーム期間内で隣接する走査線が間引かれたり、または時間的に遅い偶数フィールドで間引かれる走査線の位置が奇数フィールドで間引かれる走査線の位置よりも垂直走査方向の上流側に位置し、表示品質が低下するなどの事態が想定きれる。
　【００３０】
　すなわち、行電極２６の数が前記有効走査線数に近く、かつ小さい場合には、表示部２２で一フレーム周期毎に表示が行われるが、テレビジョン映像信号は奇数フィールドおよび偶数フィールドが繰返されて構成されており、したがって前述した間引き処理は奇数フィールドと偶数フィールドとのそれぞれについて同一走査線数ずつ行う必要がある。一方、たとえば奇数フィールドで間引かれた走査線の垂直走査方向に関する位置と、偶数フィールドで間引かれた走査線の前記位置とが、これらを合わせた一フレームとして見た場合に、垂直走査方向に沿って隣接する場合には、連続した２本の走査線の信号が表示されないことになり、信号の欠落が視認されてしまうなど、画質が劣化してしまうという課題がある。
　【００３１】
　第７図は前記想定される問題点を説明する図である。以下、行電極２６の数が走査線数の１／２以下の場合について説明する。このような場合には前述した奇数フィールドの映像信号と偶数フィールドの映像信号とが交互に同一の行電極２６に印加される。この状態が第７図（１）に示される。以下、第７図において実線はたとえぼ奇数フィールドを示し、破線は偶数フィールドを示し、符号１ｏ，２ｏ，…は奇数フィールドにおける走査線を示し、符号１ｅ，２ｅ，…は偶数フィールドにおける走査線を示す。
　【００３２】
　走査線数と行電極２６の数とが一致している場合には第７図（１）に示されるように、一フィールド期間では行電極Ｇ１，Ｇ２，…，Ｇ６には奇数フィールドの走査線１ｏ，２ｏ，３ｏ，…，６ｏが割当てられ、次のフィールド期間では走査線１ｅ，２ｅ，…，６ｅがそれぞれ割当てられる。したがって各行電極Ｇ１〜Ｇ６には、フレーム期間の垂直走査方向に関して隣接する走査線の信号がそれぞれ与えられることになり、表示上の障害は生じていない。
　【００３３】
　一方、間引き処理をするに当って、時間的に早いフィールド、すなわち奇数フィールドから間引き処理を行い、しかも奇数フィールドの間引き位置が、偶数フィールドの間引き位置より垂直走査方向上流側である場合を第７図（２）に示す。この例では奇数フィールドの第３走査線３ｏと偶数フィールドの第５走査線５ｅとが間引かれている。この例でも各行電極６には一フレーム内で隣接する走査線が割当てられ、表示上の障害は起こしていない。
　【００３４】
　一方、第７図（３）に示されるように、偶数フィールドの走査線３ｅと奇数フィールドの走査線６ｏとが間引れる場合、時間的に遅い偶数フィールドの走査線が、垂直走査方向に関して上流側にある。このような場合、図に示されるように、フレーム期間内で隣接しない走査線３ｏ，４ｅ；４ｏ，５ｅ；５ｏ，６ｅが同一行電極Ｇ３，Ｇ４，Ｇ５に割当てられることになり、画質が劣化してしまう事態が想定される。したがって前述したように走査線を間引く信号処理を行う場合であっても、前述のような事態に配慮した処理が望しい。
　【００３５】
　第８図は本発明の他の実施例の構成を説明するブロック図である。本実施例は前述の実施例に類似し、対応する部分には同一の参照符を付す。この具体的回路例においては、制御回路２９と行電極駆動回路２８との間に、具体的には第７図示のように７進カウンタ３４、間引き位置設定回路３５および、当該間引き位置設定回路３５によって設定される間引き位置をフィールド毎に切換えるための切換信号Ｆを出力するフリップフロップ回路３６が設けられる。
　【００３６】
　制御回路２９からは、映像信号の垂直同期信号に同期した走査開始信号ＳＰと、水平同期信号に同期したクロック信号ＣＬと、垂直同期信号ＶＳとモード切換え信号ＳＷとが出力される。モード切換え信号ＳＷは、液晶表示装置２１の動作を、間引き処理を行う動作と入力される映像信号の走査線を各行電極２６に１対１に対応させて表示を行う動作とのいずれかを選択する信号であり、本実施例ではモード切換信号ＳＷのレベルがハイレベルのときに間引き動作を含む表示動作を行う。前記７進カウンタ３４はクロック信号ＣＬが入力される３ビットのカウンタ３７を備え、各ビットＱ２，Ｑ１，Ｑ０の出力はパラレルに間引き位置設定回路３５に入力されるとともにＮＡＮＤ回路３８に入力され、ＮＡＮＤ回路３８の出力は１対のＮＡＮＤ回路３９，４０から構成されるラッチ回路４１に入力される。ラッチ回路４１では、ＮＡＮＤ回路３８の出力をリセット信号としてカウンタ３７のリセット端子Ｒに入力するにあたり、クロック信号ＣＬと同期した波形に整形する。
　【００３７】
　ラッチ回路４１の出力はＮＡＮＤ回路４２に入力され、ＮＡＮＤ回路４２には映像信号の垂直同期信号ＶＳが反転回路４３で反転された信号とモード切換え信号ＳＷとが入力される。
　【００３８】
　前記垂直同期信号ＶＳはフィールド毎に後述される間引き位置設定回路３５における間引き位置を切換えるためのフリップフロップ回路３６のクロック端子に入力される。フリップフロップ回路３６は反転出力Ｑがデータ入力端子Ｄに接続され、出力端子Ｑが間引き位置設定回路３５の排他的論理和回路（以下、ＥＸ回路と略す）４４に入力される。間引き位置設定回路３５の前記ＥＸ回路４４にはカウンタ３７の最上位ビットＱ２が入力され、その出力は、ＮＡＮＤ回路４５に入力される。ＮＡＮＤ回路４５には、カウンタ３７のビットＱ１の反転回路４６による反転信号と最下位ビットＱ０とが入力される。
　【００３９】
　ＮＡＮＤ回路４５の出力は、クロッタ信号ＣＬの反転回路４７による反転信号が入力されるＮＡＮＤ回路４８に入力され、その出力はクロック信号ＣＬ１として前記シフトレジスタ３０のクロック入力端子ＣＫに入力されるとともに、前記反転回路３２を介して休止回路３３のＡＮＤ回路３１に共通に入力される。
　【００４０】
　第９図は第８図示の構成の動作を説明するタイムチャートである。第８図および第９図を併せて参照して、本実施例の動作について説明する。走査開始信号ＳＰ、クロック信号ＣＬおよび垂直同期信号ＶＳは第９図（１）〜同図（３）に示すように供給され、７進カウンタ３４では垂直同期信号ＶＳによりＮＡＮＤ回路４２の出力がハイレベルとなり、カウンタ３７がリセットされる。この後第９図（２）に示したようにクロック信号ＣＬ毎にカウンタ３７はカウントアップする。カウンタ３７は３ビットであり、したがってカウント値０〜７をカウントするが、出力（Ｑ２，Ｑ１，ＱＯ）＝（１，１，１）となったとき、ＮＡＮＤ回路３８の出力が残余のカウント値０００〜１１０では、ハイレベルであったのに対し、ローレベルに切換わり、これによりＮＡＮＤ回路４２の出力がローレベルからハイレベルに反転され、カウンタ３７はリセットされる。このようにして第７図示の７進カウンタ３４は３ビットのカウンタ３７を用いて０〜６の間の７進カウントを実現できる。
　【００４１】
（１）切換え信号Ｆがハイレベルの場合
　切換え信号Ｆがハイレベルの場合において、ＮＡＮＤ回路４５の出力である休止信号ＳＴがローレベルとなり、ＮＡＮＤ回路４８からクロック信号ＣＬ１が供給されない状態となるのは、ＮＡＮＤ回路４５の入力が全てハイレベルとなる場合であり、これは（Ｑ２，Ｑ１，Ｑ０）＝（０，０，１）の場合である。したがって第９図（４）に示すように、カウンタ３７のカウント値が０のときは、ＮＡＮＤ回路４５の出力である休止信号ＳＴはハイレベルであり、ＮＡＮＤ回路４８を介してクロック信号ＣＬが出力される。これにより、走査開始信号ＳＰがシフトレジスタ３０でワンクロック分シフトされ、また各ＮＡＮＤ回路３１も導通状態となり、行電極Ｇ１〜Ｇｎには第９図（６）〜（８）に示されるように行電極Ｇ１のみに走査信号Ｇ１が導出される。
　【００４２】
　カウンタ３７のカウント値が１になると、前記休止信号ＳＴがローレベルとなり、ＮＡＮＤ回路４８は遮断され、クロック信号ＣＬ１はハイレベルに固定される。これによりシフトレジスタ３０はシフト動作が休止され、また各ＡＮＤ回路３１も遮断状態となる。これにより時刻ｔ１〜ｔ２の休止期間Ｗ１では液晶表示装置２１に入力される映像信号の走査線に対応する信号が表示部２２にては表示されないことになる。以下、カウンタ３７のカウンタ値が増加するに従い、残余の行電極Ｇ２，Ｇ３，…が順次的に選択され、カウンタ３７を用いた７進カウンタ３４の周期で以上の動作が繰返し行われる。
　【００４３】
（２）切換え信号Ｆがローレベルのとき
　このとき前記休止信号ＳＴがローレベルになる条件は（Ｑ２，Ｑ１，Ｑ０）＝（１，０，１）である。したがって第９図（９）〜（１３）で示されるように、カウンタ３７のカウンタ値が５のときに休止信号ＳＴがハイレベルからローレベルに立下がり、この休止期間Ｗ１では前述したように行電極Ｇ１〜Ｇｎのいずれも選択されないことになる。残余のカウント値の場合には前述の説明と同様に、各行電極Ｇ１〜Ｇｎが順次的に選択される。
　【００４４】
　前述の説明では、モード切換え信号ＳＷがハイレベルの場合を説明したが、この信号がローレベルであれば、ＮＡＮＤ回路４２の出力はハイレベルに固定され、カウンタ３７はリセット状態に固定される。これによりＮＡＮＤ回路４５の出力である休止信号ＳＴはハイレベルに固定され、ＮＡＮＤ回路４８は導通状態に保持される。したがってシフトレジスタ３０のクロック入力端子ＣＫには、クロック信号ＣＬが反転回路４７、ＮＡＮＤ回路４８を介して入力される。このときのクロック信号ＣＬ１は第９図（１５）に示すようにクロック信号ＣＬと同一の信号となる。
　【００４５】
　このように本実施例によれば７進カウンタ３４を用いて、入力される映像信号の走査線に関して７本のうち１本を間引く処理を行い、表示部２２にて映像信号の垂直走査期間の全体に亘る映像範囲を実現することができる。また第８図示の構成によれば、フィールド毎に間引く位置を切換え、しかも１フレームで見た場合に間引かれる走査線の位置が隣接することがないようにしている。これにより間引かれる走査線が１フレーム内で隣接して表示品位が劣化する事態を防ぐことができる。
　【００４６】
　前述の実施例では、フィールド毎に間引かれる走査線の位置を切換えるようにしているが、本発明の他の具体例として第８図におけるフリップフロップ回路３６を、奇数フィールドと偶数フィールドとを判別できる周知のフィールド判別回路に変更し、奇数フィールドの場合には、垂直走査期間内で間引かれる走査線の位置を偶数フィールドで間引かれる走査線の位置よりも垂直走査方向上流側であるようにできる。第８図の例によれば、奇数フィールドで切換え信号Ｆをハイレベルとし、偶数フィールドで切換え信号Ｆをローレベルとすればよい。このような構成によれば、第７図を参照して説明した同一行電極２６に対して垂直走査方向に関して隣接しない走査線に対応する映像信号が割り当てられてしまう事態を防ぐことができ、この点に関する表示品位の劣化を併せて防ぐことができる。またモード切換信号ＳＷを設定したので走査線数が異なるシステムに対応でき、利便性が格段に向上される。
　【００４７】
　前述の各実施例では走査線数の７本中の１本を間引く動作を説明したが、その他の数の走査線から１本を間引くようにしてもよいのは勿論である。
　【００４８】
　また各実施例は液晶表示装置２１として説明したが、その他マトリクス方式の表示装置に関連して広く実施することができる。
　【００４９】
　【発明の効果】
　以上のように本発明に従えば、行列状に配置された複数の表示絵素に表示を行うに当って、表示を行う行電極数が表示信号の走査線数より小さい場合には、行電極駆動手段は予め定める表示信号おきに停止期間に亘ってスイッチング素子を非選択状態とする信号を行電極に出力するようにした。これにより表示を行う行うインの数が表示信号のライン数より小さい場合であっても、簡便な構成を用いて表示信号の全範囲内の映像を表示することができる。
　【００５０】
　また本願発明は、休止期間Ｗ１には行電極にスイッチング素子を非選択とする信号が出力されるため、スイッチング素子の選択期間はその行以外のスイッチング素子と同じとなり、絵素に対する信号電圧の印加時間を均一にすることができ、表示輝度のばらつきを抑えることができる。
　【００５１】
　更に本願発明は、休止期間Ｗ１をもつクロック信号を備えているため、クロック信号の休止期間Ｗ１のタイミングを変えるだけで表示信号の間引き位置を変化させることができる。
【図面の簡単な説明】
　【図１】
　本発明の一実施例の液晶表示装置２１の構成を示すブロック図。
　【図２】
　表示部２２の電気的構成を示す電気回路図。
　【図３】
　第２図の構成例の動作を示すタイムチャート。
　【図４】
　第１図の液晶表示装置２１の基本的動作を説明するタイムチャート。
　【図５】
　本実施例の他の動作例を説明する図。
　【図６】
　第５図の動作を説明するタイムチャート。
　【図７】
　本実施例の作用を説明する図。
　【図８】本発明の他の実施例の液晶表示装置の一部分の構成を示すブロック図。
　【図９】
　第８図の構成の動作を示すタイムチャート。
　【図１０】
　典型的な従来例の液晶表示装置１の構成を示すブロック図。
　【符号の説明】
１０　　　液晶表示装置
２２　　　表示部
２３　　　表示絵素
２５　　　列電極
２６　　　行電極
２８　　　
行
２９　　　制御回路
３０　　　シフトレジスタ
３３　　　休止回路
３４　　　７進カウンタ
３５　　　間引き位置設定回路
３６　　　フリップフロップ回路